(57)【要約】【課題】軟便中の固形物を包装シートに形成された空洞に貯留し、トップシート上に滞留する軟便を減らして、拡散を抑制し軟便が外部に漏出すのを防止することができる使い捨ておむつを提供する。【解決手段】液透過性のトップシートと、液不透過性のバックシートと、トップシートとバックシートの間に設けられた吸収要素を備えた使い捨ておむつにおいて、吸収要素を、吸収体と、吸収体を覆う包装シートから形成し、平面視において、包装シートの身体側部に、前後方向と幅方向に所定の間隔を隔てて身体側に向かって立設する複数の第１凸部を形成し、トップシートの反身体側部と包装シートの身体側部の間に空洞を形成した。【選択図】図７
2020156791.tif 000002
【特許請求の範囲】
【請求項１】
液透過性のトップシートと、液不透過性のバックシートと、前記トップシートとバックシートの間に設けられた吸収要素を備えた使い捨ておむつにおいて、
前記吸収要素を、吸収体と、該吸収体を覆う包装シートから形成し、
平面視において、前記包装シートの身体側部に、前後方向と幅方向に所定の間隔を隔てて身体側に向かって立設する複数の第１凸部を形成し、
トップシートの反身体側部と包装シートの身体側部の間に空洞を形成したことを特徴とする使い捨ておむつ。
【請求項２】
平面視において、前記トップシートにおける吸収要素と対向する反身体側部に、前後方向と幅方向に所定の間隔を隔てて反身体側に向かって立設する複数の第２凸部を形成した請求項１記載の使い捨ておむつ。
【請求項３】
幅方向の断面視において、前記第２凸部の高さを、幅方向の外側に位置するに従って高く形成した請求項２記載の使い捨ておむつ。
【請求項４】
液透過性のトップシートと、液不透過性のバックシートと、前記トップシートとバックシートの間に設けられた吸収要素を備えた使い捨ておむつにおいて、
前記吸収要素を、吸収体と、該吸収体を覆う包装シートから形成し、
前記トップシートと吸収要素の間に、排泄物の逆戻りを防止する中間シートを設け、
平面視において、前記包装シートの身体側部に、前後方向と幅方向に所定の間隔を隔てて身体側に向かって立設する複数の第１凸部を形成し、
トップシートの反身体側部と包装シートの身体側部の間に空洞を形成したことを特徴とする使い捨ておむつ。
【請求項５】
平面視において、前記中間シートの反身体側部に、前後方向と幅方向に所定の間隔を隔てて反身体側に向かって立設する複数の第３凸部を形成した請求項４記載の使い捨ておむつ。
【請求項６】
幅方向の断面視において、前記第３凸部の高さを、幅方向の外側に位置するに従って高く形成した請求項５記載の使い捨ておむつ。
【請求項７】
前記包装シートを、クレープ紙で形成した請求項１〜６のいずれか１項に記載の使い捨ておむつ。
【請求項８】
前記クレープ紙を形成する繊維の長手方向を前後方向に沿わせて設けた請求項７記載の使い捨ておむつ。
【発明の詳細な説明】
【技術分野】
【０００１】
本発明は、使い捨ておむつに関するものであり、特に、軟便中の固形物を空洞に貯留して軟便の拡散を抑制した使い捨ておむつに関するものである。
【背景技術】
【０００２】
従来の使い捨ておむつでは、軟便等の高粘性液の透液性能を高めるために、トップシートを２層の不織布で形成して、２層の不織布の間に空洞を形成する技術が知られている。（特許文献１）
【０００３】
また、排泄物の防漏性能を高めるために、吸収体の身体側部に幅方向に所定の間隔を隔てて前後方向に延在する凸部を形成する技術が知られている。（特許文献２）
【先行技術文献】
【特許文献】
【０００４】
【特許文献１】特開２００４−１７４２３４号公報
【特許文献２】特開２０１７−１３１２７９号公報
【発明の概要】
【発明が解決しようとする課題】
【０００５】
しかし、特許文献１の技術では、軟便中の固形物が２層の不織布の間の空洞に貯留されるが所定以上の体圧が加わった場合に、トップシートの身体側に逆流して外部に漏出すおそれがある。
【０００６】
特許文献２の技術では、吸収体を覆う包装シートによって吸収体への透過を抑制された多くの軟便がトップシート上に滞留して外部に漏出すおそれがある。
【０００７】
そこで、本発明の課題は、軟便中の固形物を包装シートに形成された空洞に貯留し、トップシート上に滞留する軟便を減らして、拡散を抑制し軟便が外部に漏出すのを防止することができる使い捨ておむつを提供することにある。
【課題を解決するための手段】
【０００８】
上記課題を解決した本発明は次記のとおりである。
第１手段は、液透過性のトップシートと、液不透過性のバックシートと、前記トップシートとバックシートの間に設けられた吸収要素を備えた使い捨ておむつにおいて、
前記吸収要素を、吸収体と、該吸収体を覆う包装シートから形成し、平面視において、前記包装シートの身体側部に、前後方向と幅方向に所定の間隔を隔てて身体側に向かって立設する複数の第１凸部を形成し、トップシートの反身体側部と包装シートの身体側部の間に空洞を形成したことを特徴とする。
【０００９】
第２手段は、第１手段の構成において、平面視において、前記トップシートにおける吸収要素と対向する反身体側部に、前後方向と幅方向に所定の間隔を隔てて反身体側に向かって立設する複数の第２凸部を形成したことを特徴とする。
【００１０】
第３手段は、第２手段の構成において、幅方向の断面視において、前記第２凸部の高さを、幅方向の外側に位置するに従って高く形成したことを特徴とする。
【００１１】
第４手段は、液透過性のトップシートと、液不透過性のバックシートと、前記トップシートとバックシートの間に設けられた吸収要素を備えた使い捨ておむつにおいて、
前記吸収要素を、吸収体と、該吸収体を覆う包装シートから形成し、前記トップシートと吸収要素の間に、排泄物の逆戻りを防止する中間シートを設け、平面視において、前記包装シートの身体側部に、前後方向と幅方向に所定の間隔を隔てて身体側に向かって立設する複数の第１凸部を形成し、トップシートの反身体側部と包装シートの身体側部の間に空洞を形成したことを特徴とする。
【００１２】
第５手段は、第４手段の構成において、平面視において、前記中間シートの反身体側部に、前後方向と幅方向に所定の間隔を隔てて反身体側に向かって立設する複数の第３凸部を形成したことを特徴とする。
【００１３】
第６手段は、第５手段の構成において、幅方向の断面視において、前記第３凸部の高さを、幅方向の外側に位置するに従って高く形成したことを特徴とする。
【００１４】
第７手段は、第１〜６のいずれか１項の手段の構成において、前記包装シートを、クレープ紙で形成したことを特徴とする。
【００１５】
第８手段は、第７手段の構成において、前記クレープ紙を形成する繊維の長手方向を前後方向に沿わせて設けたことを特徴とする。
【発明の効果】
【００１６】
第１手段によれば、吸収要素を、吸収体と、吸収体を覆う包装シートから形成し、平面視において、包装シートの身体側部に、前後方向と幅方向に所定の間隔を隔てて身体側に向かって立設する複数の第１凸部を形成し、トップシートの反身体側部と包装シートの身体側部の間に空洞を形成したので、トップシートを透過した軟便中の固形物を空洞に貯留して、トップシート上に滞留する軟便を減らすことができる。これにより、軟便の拡散を抑制して、トップシートを伝わって外部に漏出すのを防止することができ、また、装着者の肌の蒸れ、かぶれも防止することができる。
【００１７】
第２手段によれば、第１手段による効果に加えて、平面視において、トップシートにおける吸収要素と対向する反身体側部に、前後方向と幅方向に所定の間隔を隔てて反身体側に向かって立設する複数の第２凸部を形成したので、トップシートを透過した軟便中の固形物をより大きな空洞に貯留して、トップシート上に滞留する軟便をより減らすことができる。
【００１８】
第３手段によれば、第２手段による効果に加えて、幅方向の断面視において、第２凸部の高さを、幅方向の外側に位置するに従って高く形成したので、トップシートの幅方向の両側部に拡散した軟便を、幅方向の中間部に移送することができるのでトップシートを伝わって外部に漏出すのをより防止することができる。
【００１９】
第４手段によれば、吸収要素を、吸収体と、吸収体を覆う包装シートから形成し、トップシートと吸収要素の間に、排泄物の逆戻りを防止する中間シートを設け、平面視において、包装シートの身体側部に、前後方向と幅方向に所定の間隔を隔てて身体側に向かって立設する複数の第１凸部を形成し、トップシートの反身体側部と包装シートの身体側部の間に空洞を形成したので、トップシートと中間シートを透過した軟便中の固形物を空洞に貯留して、トップシート上に滞留する軟便を減らすことができる。これにより、軟便の拡散を抑制して、トップシートを伝わって外部に漏出すのを防止することができ、また、装着者の肌の蒸れ、かぶれも防止することができる。また、軟便中の水分の逆戻りを防止することもできる。
【００２０】
第５手段によれば、第４手段による効果に加えて、平面視において、中間シートの反身体側部に、前後方向と幅方向に所定の間隔を隔てて反身体側に向かって立設する複数の第３凸部を形成したので、トップシートを透過した軟便中の固形物をより大きな空洞に貯留して、トップシート上に滞留する軟便をより減らすことができる。
【００２１】
第６手段によれば、第５手段による効果に加えて、幅方向の断面視において、第３凸部の高さを、幅方向の外側に位置するに従って高く形成したので、トップシートの幅方向の両側部に拡散した軟便を、幅方向の中間部に移送することができるのでトップシートを伝わって外部に漏出すのをより防止することができる。
【００２２】
第７手段によれば、第１〜６のいずれか１項の手段による効果に加えて、包装シートを、クレープ紙で形成したので、軟便中の固形物を空洞に効率良く貯留することができる。
【００２３】
第８手段によれば、第７手段による効果に加えて、クレープ紙を形成する繊維の長手方向を前後方向に沿わせて設けたので、軟便中の水分当を前後方向に効率良く拡散することができるので、使い捨ておむつの幅方向の両側部から軟便の水分等が外部に漏出すのをさらに防止することができる。
【図面の簡単な説明】
【００２４】
【図１】使い捨ておむつの身体側の平面図である。
【図２】使い捨ておむつの反身体側の平面図である。
【図３】図１のＸ１−Ｘ１断面図である。
【図４】吸収体要素の（ａ）は平面図、（ｂ）はＸ２−Ｘ２断面図、（ｃ）は身体側に配置された包装シートの拡大断面図である。
【図５】包装シートの身体側部の平面図であり、（ａ）は楕円状、（ｂ）は矩形状、（ｃ）は連続矩形状の凸部が形成されている。
【図６】第１実施形態の中間シートの（ａ）は平面図、（ｂ）はＸ３−Ｘ３断面図、（ｃ）は拡大断面図である。
【図７】第１実施形態の中間シートと吸収要素の包装シートの間に形成される空洞の説明図である。
【図８】第２実施形態の中間シートの（ａ）は平面図、（ｂ）はＸ４−Ｘ４断面図、（ｃ）は拡大断面図である。
【図９】第２実施形態の中間シートと吸収要素の包装シートの間に形成される空洞の説明図である。
【図１０】他の第２実施形態のトップシートの（ａ）は平面図、（ｂ）はＸ５−Ｘ５断面図、（ｃ）は拡大断面図である。
【図１１】他の第２実施形態のトップシートと吸収要素の包装シートの間に形成される空洞の説明図である。
【図１２】第３実施形態の中間シートの（ａ）は平面図、（ｂ）はＸ６−Ｘ６断面図、（ｃ）は拡大断面図である。
【図１３】第３実施形態の中間シートと吸収要素の包装シートの間に形成される空洞の説明図である。
【図１４】他の第３実施形態のトップシートの（ａ）は平面図、（ｂ）はＸ７−Ｘ７断面図、（ｃ）は拡大断面図である。
【図１５】他の第３実施形態のトップシートと吸収要素の包装シートの間に形成される空洞の説明図である。
【発明を実施するための形態】
【００２５】
液透過性に優れる使い捨ておむつについて説明する。本明細書において「前後方向」とは、腹側と背側を結ぶ方向をいい、「幅方向」とは、前後方向と直交する方向をいう。
【００２６】
＜第１実施形態の使い捨ておむつ＞
図１〜３に示すように、第１実施形態の使い捨ておむつは、身体側に設けられた液透過性のトップシート１０と、反身体側に設けられた液不透過性のバックシート１１と、トップシート１０とバックシート１１の間に設けられた吸収要素２０から形成されている。また、吸収要素２０は、吸収体２１と、吸収体２１を覆う包装シート２２とから形成されている。
【００２７】
バックシート１１の反身体側には、外装シート１２が設けられている。また、トップシート１０と吸収要素２０の間には、トップシート１０を透過した排泄物を吸収要素２０に移動させ、排泄物の逆戻りを防止する中間シート１５を設けるのが好ましい。
【００２８】
吸収要素２０の幅方向の両側には、所定の間隔を隔てて排泄物の外部への漏れを防止する立体ギャザー３０が設けられている。立体ギャザー３０は、実質的に幅方向に連続するギャザーシート３１と、ギャザーシート３１の前後方向に沿って伸長状態で固定された細長状の弾性伸縮部材３２から形成されている。
【００２９】
立体ギャザー３０の基部の外側には、所定の間隔を隔てて排尿の外部への漏れを防止する平面ギャザー４０が形成されている。平面ギャザー４０は、バックシート１１と、ギャザーシート３１と、外装シート１２と、バックシート１１と、ギャザーシート３１の間に前後方向に沿って伸長状態で固定された細長状の弾性伸縮部材４１から形成されている。
【００３０】
吸収要素２０の前後方向の両側には、エンドフラップ部ＥＦがそれぞれ形成され、吸収要素２０の幅方向の両側には、サイドフラップ部ＳＦがそれぞれ形成されている。
【００３１】
サイドフラップ部ＳＦにおける背側部の幅方向の両側には、ファスニングテープ５０が設けられている。ファスニングテープ５０は、サイドフラップＳＦに固定される基材５１と、基材５１の身体側に設けられた係止部５２から形成されている。
【００３２】
外装シート１２の反身体側の腹側部には、ファスニングテープ５０の係止部５２が係止される前後方向に所定の間隔を有して幅方向に延在する矩形状のターゲットシート５５が設けられている。
【００３３】
図４に示すように、吸収体２１を覆う包装シート２２の身体側部には、身体側に向かって立設する複数の凸部（請求項における「第１凸部」）６０が形成されている。第１実施形態の包装シート２２は、包装シート２２の身体側に位置する身体側部のみに凸部６０を形成しているが、包装シート２２の身体側に位置する身体側部と幅方向の両側部に位置する両側部に凸部６０を形成することもでき、さらに、包装シート２２の身体側に位置する身体側部と、幅方向の両側部に位置する両側部と、反身体側に位置する反身体側部にも凸部６０を形成することもできる。また、包装シート２２の繊維の長手方向は、前後方向に向かって延在し、包装シート２２の繊維と繊維の隙間が小さいく形成されているので軟便の固形物の透過を抑制することができる。
【００３４】
平面視において、凸部６０は、前後方向と幅方向に所定の間隔を隔てて形成され、身体側部の頂部は、円状に形成されている。また、断面視において、凸部６０は、幅方向の位置に係わらず所定の高さに形成されている。
【００３５】
図５に示すように、凸部６０の形状は、円状以外にも前後方向に長手方向を有する楕円状や、前後方向に長手方向を有する矩形状や、前後方向に長手方向を有して連続する矩形状に形成することができる。
【００３６】
図６に示すように、トップシート１０と吸収要素２０の間に設けられる中間シート１５は、前後方向に所定の長さを有して幅方向に所定の幅を有する矩形状に形成されている。また、断面視において、中間シート１５の厚みは、幅方向の位置に係わらず所定の高さに形成されている。
【００３７】
図７に示すように、中間シート１５と包装シート２２の間には、中間シート１５の反身体側部と、包装シート２２の身体側部と、包装シート２２の身体側部に形成された凸部６０により区画される複数の空洞６１が形成される。これにより、トップシート１０と中間シート１５を透過した軟便の固形物が、凸部６０の頂部に滞留するのが防止されて空洞６１に貯留される。よって、トップシート１０上に滞留する軟便を減らすことができるので、軟便、特に、軟便中の水分の拡散を抑制して、トップシート１０を伝わって外部に漏出すのを防止することができ、また、装着者の肌の蒸れ、かぶれも防止することができる。
【００３８】
また、中間シート１５が設けられない形態においては、トップシート１０の反身体側部と、包装シート２２の身体側部と、包装シート２２の身体側部に形成された凸部６０により区画される複数の空洞６１が形成されて、同様の効果を奏することができる。
【００３９】
表１には、吸収要素２０の吸収性能試験結果を示している。
【００４０】
【表１】
2020156791.tif 000003
【００４１】
吸収要素２０における装着者の肛門に対向する部位に、１５ｇの４０％ヨーグルト便を漏下させて、５分経過後の前後方向の拡散長さと、幅方向の拡散長さを測定した結果、包装シート２２に凸部６０を形成した吸収要素２０は、包装シート２２に凸部６０を形成していない吸収要素２０に対して、前後方向の拡散長さは１４３％となり、幅方向の拡散長さは５５．６％となった。
【００４２】
これらの結果から、ヨーグルト便の固形物が凸部６０の頂部に滞留せず、凸部６０の頂部の空隙が維持されていることが判った。また、包装シート２２に凸部６０を形成することによって包装シート２２を形成する繊維が前後方向に緊張することから前後方向の拡散特性が優れることが判った。
【００４３】
＜第２実施形態の使い捨ておむつ＞
次に、第２実施形態の使い捨ておむつについて説明する。なお、第１実施形態の使い捨ておむつと同一部材、形態については、同一符号を付して説明を省略する。
【００４４】
図８に示すように、中間シート１５の反身体側部には、反身体側に向かって立設する複数の凸部（請求項における「第３凸部」）７０が形成されている。平面視において、凸部７０は、前後方向と幅方向に所定の間隔を隔てて形成され、反身体側部の頂部は、円状に形成されている。また、断面視において、凸部７０は、幅方向の位置に係わらず所定の高さに形成されている。なお、凸部７０の形状は、円状以外にも前後方向に長手方向を有する楕円状や、前後方向に長手方向を有する矩形状や、前後方向に長手方向を有して連続する矩形状に形成することができる。
【００４５】
図９に示すように、中間シート１５と包装シート２２の間には、中間シート１５の反身体側部の凸部７０と隣接する凸部７０の間に形成される空洞７１と、包装シート２２の身体側部の凸部６０と隣接する凸部６０の間に形成される空洞６１が重なり合って連通して大きな空洞７２が形成される。これにより、トップシート１０と中間シート１５を透過した軟便の固形物が、大きな空洞７２に貯留されて、包装シート２２の凸部６０の頂部に溢れ出て滞留するのをより防止することができる。よって、トップシート１０上に滞留する軟便をより減らすことができるので、軟便、特に、軟便中の水分の拡散を抑制して、トップシート１０を伝わって外部に漏出すのをより防止することができ、また、装着者の肌の蒸れ、かぶれもより防止することができる。
【００４６】
＜他の第２実施形態の使い捨ておむつ＞
次に、中間シート１５が設けられていない他の第２実施形態の使い捨ておむつについて説明する。なお、第１実施形態の使い捨ておむつと同一部材、形態については、同一符号を付して説明を省略する。
【００４７】
図１０に示すように、トップシート１０における吸収要素２０と対向する反身体側部には、反身体側に向かって立設する複数の凸部（請求項における「第２凸部」）７０Ａが形成されている。平面視において、凸部７０Ａは、前後方向と幅方向に所定の間隔を隔てて形成され、反身体側部の頂部は、円状に形成されている。また、断面視において、凸部７０Ａは、幅方向の位置に係わらず所定の高さに形成されている。なお、凸部７０Ａの形状は、円状以外にも前後方向に長手方向を有する楕円状や、前後方向に長手方向を有する矩形状や、前後方向に長手方向を有して連続する矩形状に形成することができる。
【００４８】
図１１に示すように、トップシート１０と包装シート２２の間には、トップシート１０の反身体側部の凸部７０Ａと隣接する凸部７０Ａの間に形成される空洞７１Ａと、包装シート２２の身体側部の凸部６０と隣接する凸部６０の間に形成される空洞６１が重なり合って連通して大きな空洞７２Ａが形成される。これにより、トップシート１０を透過した軟便の固形物が、大きな空洞７２Ａに貯留されて、包装シート２２の凸部６０の頂部に溢れ出て滞留するのをより防止することができる。よって、トップシート１０上に滞留する軟便をより減らすことができるので、軟便、特に、軟便中の水分の拡散を抑制して、トップシート１０を伝わって外部に漏出すのをより防止することができ、また、装着者の肌の蒸れ、かぶれもより防止することができる。
【００４９】
＜第３実施形態の使い捨ておむつ＞
次に、第３実施形態の使い捨ておむつについて説明する。なお、第１実施形態の使い捨ておむつと同一部材、形態については、同一符号を付して説明を省略する。
【００５０】
図１２に示すように、中間シート１５の反身体側部には、反身体側に向かって立設する複数の凸部（請求項における「第３凸部」）８０が形成されている。平面視において、凸部８０は、前後方向と幅方向に所定の間隔を隔てて形成され、反身体側部の頂部は、円状に形成されている。また、断面視において、凸部８０の高さは、幅方向の中心が最も低く形成され、幅方向の中心から両側に位置するに従って高く形成されている。さらに、断面視において、幅方向の両側部にのみ凸部８０を形成し、幅方向の中間部には凸部８０を形成しない形態にすることもできる。なお、凸部８０の形状は、円状以外にも前後方向に長手方向を有する楕円状や、前後方向に長手方向を有する矩形状や、前後方向に長手方向を有して連続する矩形状に形成することができる。
【００５１】
図１３に示すように、中間シート１５と包装シート２２の間には、中間シート１５の反身体側部の凸部８０と隣接する凸部８０の間に形成される空洞８１と、包装シート２２の身体側部の凸部６０と隣接する凸部６０の間に形成される空洞６１が重なり合って連通して大きな空洞８２が形成される。
【００５２】
空洞８１の大きさは、幅方向の中心が最も狭く形成され、幅方向の中心から両側に位置するに従って広く形成されている。これにより、空洞８２の大きさは、幅方向の中心が最も狭く形成され、幅方向の中心から両側に位置するに従って広く形成されている。
【００５３】
これにより、トップシート１０と中間シート１５を透過した軟便の固形物が、より大きな空洞８２に貯留されて、包装シート２２の凸部６０の頂部に溢れ出て滞留するのをさらに防止することができる。よって、トップシート１０上に滞留する軟便をさらに減らすことができるので、軟便、特に、軟便中の水分の拡散を抑制して、トップシート１０を伝わって外部に漏出すのをさらに防止することができ、また、装着者の肌の蒸れ、かぶれもさらに防止することができる。また、トップシート１０の幅方向の両側部に拡散した軟便を、幅方向の中間部に移送することができるのでトップシート１０を伝わって外部に漏出すのを防止することができる。
【００５４】
＜他の第３実施形態の使い捨ておむつ＞
次に、中間シート１５が設けられていない他の第３実施形態の使い捨ておむつについて説明する。なお、第１実施形態の使い捨ておむつと同一部材、形態については、同一符号を付して説明を省略する。
【００５５】
図１４に示すように、トップシート１０における吸収要素２０と対向する反身体側部には、反身体側に向かって立設する複数の凸部（請求項における「第２凸部」）８０Ａが形成されている。平面視において、凸部８０Ａは、前後方向と幅方向に所定の間隔を隔てて形成され、反身体側部の頂部は、円状に形成されている。また、断面視において、凸部８０Ａの高さは、幅方向の中心が最も低く形成され、幅方向の中心から両側に位置するに従って高く形成されている。なお、凸部８０Ａの形状は、円状以外にも前後方向に長手方向を有する楕円状や、前後方向に長手方向を有する矩形状や、前後方向に長手方向を有して連続する矩形状に形成することができる。
【００５６】
図１５に示すように、トップシート１０と包装シート２２の間には、トップシート１０の反身体側部の凸部８０Ａと隣接する凸部８０Ａの間に形成される空洞８１Ａと、包装シート２２の身体側部の凸部６０と隣接する凸部６０の間に形成される空洞６１が重なり合って連通して大きな空洞８２Ａが形成される。
【００５７】
空洞８１Ａの大きさは、幅方向の中心が最も狭く形成され、幅方向の中心から両側に位置するに従って広く形成されている。これにより、空洞８２Ａの大きさは、幅方向の中心が最も狭く形成され、幅方向の中心から両側に位置するに従って広く形成されている。
【００５８】
これにより、トップシート１０を透過した軟便の固形物が、より大きな空洞８２Ａに貯留されて、包装シート２２の凸部６０の頂部に溢れ出て滞留するのをさらに防止することができる。よって、トップシート１０上に滞留する軟便をさらに減らすことができるので、軟便、特に、軟便中の水分の拡散を抑制して、トップシート１０を伝わって外部に漏出すのをさらに防止することができ、また、装着者の肌の蒸れ、かぶれもさらに防止することができる。また、トップシート１０の幅方向の両側部に拡散した軟便を、幅方向の中間部に移送することができるのでトップシート１０を伝わって外部に漏出すのを防止することができる。
【００５９】
次に、トップシート１０等の素材および特徴部分について順に説明する。
（トップシート）
トップシート１０は、有孔又は無孔の不織布や、多孔性プラスチックシート等で形成されている。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維等や、これらから二種以上が使用された混合繊維、複合繊維等を例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００６０】
（バックシート）
バックシート１１は、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とでバックシートが構成される。）等で形成されている。もちろん、このほかにも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、バックシート１１として用いることができる。
【００６１】
（外装シート）
外装シート１２は、吸収要素２０を支持し、着用者に装着するための部分である。外装シート１２は、両側部の前後方向中央部が括れた砂時計形状とされており、ここが着用者の脚を囲む部位となる。
【００６２】
外装シート１２は、不織布で形成するのが好適であるが、これに限定されない。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互をホットメルト接着剤等により接着するのが好ましい。不織布を用いる場合、その繊維目付けは１０〜５０ｇ／ｍ2、特に１５〜３０ｇ／ｍ2のものが望ましい。
【００６３】
（中間シート）
中間シート１５は、トップシート１０と同様の素材で形成されている。中間シート１５は、トップシート１０に接合するのが好ましく、その接合にヒートエンボスや超音波溶着を用いる場合は、中間シート１５の素材は、トップシート１０と同程度の融点をもつものが好ましい。中間シート１５に不織布を用いる場合、その不織布の繊維の繊度は２．０〜５．０ｄｔｅｘ程度とするのが好ましい。
【００６４】
（吸収体）
吸収体２１は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００６５】
吸収体２１は、高吸収性ポリマー粒子を含むのが好ましく、特に、少なくとも液受け入れ領域において、繊維の集合体に対して高吸収性ポリマー粒子（ＳＡＰ粒子）が実質的に厚み方向全体に分散されているものが望ましい。
【００６６】
吸収体２１の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維の集合体中に侵入しないでその表面に残存している形態や、一部のＳＡＰ粒子が繊維の集合体を通り抜けて包装シート２２上にある形態も排除されるものではない。
【００６７】
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系等のものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体等のものを用いることができる。高吸収性ポリマー粒子の形状としては、通常用いられる粉粒体状のものが好適であるが、他の形状のものも用いることができる。
【００６８】
高吸収性ポリマー粒子としては、吸水速度が７０秒以下、特に４０秒以下のものが好適に用いられる。吸水速度が遅すぎると、吸収体２１内に供給された液が吸収体２１外に戻り出てしまう所謂逆戻りを発生し易くなる。
【００６９】
高吸収性ポリマー粒子の目付け量は、当該吸収体２１の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００７０】
（包装シート）
包装シート２２は、ティッシュペーパ、特にクレープ紙、不織布、ポリラミ不織布、小孔が開いたシート等で形成されている。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレン等を使用できる。繊維目付けは、５〜４０ｇ／ｍ2、特に１０〜３０ｇ／ｍ2のものが望ましい。
【００７１】
（立体ギャザー）
立体ギャザー３０のギャザーシート３１としては撥水性不織布を用いることができ、また弾性伸縮部材３２としては糸ゴム等を用いることができる。弾性伸縮部材は、複数本設ける他、各１本設けることができる。
【００７２】
ギャザーシート３１の反身体側面は、トップシート１０の側部上に幅方向の固着始端を有し、この固着始端から幅方向外側の部分は、バックシート１１の側部およびその幅方向外側に位置する外装シート１２の側部にホットメルト接着剤等により固着されている。
【００７３】
脚周りにおいては、立体ギャザー３０の固着始端より幅方向内側は、製品前後方向両端部ではトップシート１０上に固定されているものの、その間の部分は非固定の自由部分であり、この自由部分が弾性伸縮部材３２の収縮力により起立するようになる。おむつの、装着時には、おむつが舟形に体に装着されるので、そして弾性伸縮部材３２の収縮力が作用するので、弾性伸縮部材３２の収縮力により立体ギャザー３０が起立して脚周りに密着する。その結果、脚周りからのいわゆる横漏れが防止される。
【００７４】
（平面ギャザー）
ギャザーシート３１とバックシート１１との間に、糸ゴム等からなる脚周り弾性伸縮部材４１が前後方向に沿って伸長された状態で固定されている。脚周り弾性伸縮部材４１は、複数本設ける他、各１本設けることができる。
【００７５】
（ファスニングテープ）
ファスニングテープ５０の基材５１の基部は、ホットメルト接着剤等によってギャザーシート３１と外装シート１２の間に固定されている。また、基材５１は、不織布、プラスチックフィルム、ポリラミ不織布、紙やこれらの複合素材から形成されている。
【００７６】
係止部５２は、メカニカルファスナーのフック材から形成されている。フック材は、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。もちろん、ファスニングテープ５０の係止部として粘着材層を設けることもできる。
【００７７】
（ターゲットシート）
ターゲットシート５５は、ループ糸が表面に多数設けられたプラスチックフィルムや不織布等から形成されている。
【００７８】
＜明細書中の用語の説明＞
明細書中で以下の用語が使用される場合、明細書中に特に記載が無い限り、以下の意味を有するものである。
【００７９】
・「前後（縦）方向」とは腹側（前側）と背側（後側）を結ぶ方向を意味し、「幅方向」とは前後方向と直交する方向（左右方向）を意味する。
・「表側」とは装着者の肌に近い方を意味し、「裏側」とは装着者の肌から遠い方を意味する。「表面」とは部材の、装着者の肌に近い方の面を意味し、「裏面」とは装着者の肌から遠い方の面を意味する。
・「ＭＤ方向」及び「ＣＤ方向」とは、製造設備における流れ方向（ＭＤ方向）及びこれと直交する横方向（ＣＤ方向）を意味し、いずれか一方が製品の前後方向となるものであり、他方が製品の幅方向となるものである。不織布のＭＤ方向は、不織布の繊維配向の方向である。繊維配向とは、不織布の繊維が沿う方向であり、例えば、ＴＡＰＰＩ標準法Ｔ４７１の零距離引張強さによる繊維配向性試験法に準じた測定方法や、前後方向及び幅方向の引張強度比から繊維配向方向を決定する簡易的測定方法により判別することができる。
・「展開」とは、収縮や弛み無く平坦に展開した状態を意味する。
・「伸長率」は、自然長を１００％としたときの値を意味する。例えば、伸長率が２００％とは、伸長倍率が２倍であることと同義である。
・「ゲル強度」は次のようにして測定されるものである。人工尿４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
・「人工尿」は、尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したものであり、特に記載の無い限り、温度４０度で使用される。
・「目付け量」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
・「厚み」は、自動厚み測定器（ＫＥＳ−Ｇ５  ハンディー圧縮試験機）を用い、荷重：０．０９８Ｎ／ｃｍ2、及び加圧面積：２ｃｍ2の条件下で自動測定する。
・「吸水量」は、ＪＩＳ  Ｋ７２２３−１９９６「高吸水性樹脂の吸水量試験方法」によって測定する。
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
・試験や測定における環境条件についての記載がない場合、その試験や測定は、標準状態（試験場所は、温度２３±１℃、相対湿度５０±２％）の試験室又は装置内で行うものとする。
・各部の寸法は、特に記載が無い限り、自然長状態ではなく展開状態における寸法を意味する。
【産業上の利用可能性】
【００８０】
本発明は、使い捨ておむつ等の吸収性物品に利用可能なものである。
【符号の説明】
【００８１】
１０      トップシート
１１      バックシート
１５      中間シート
２０      吸収要素
２１      吸収体
２２      包装シート
６０      凸部（第１凸部）
６１      空洞
７０      凸部（第３凸部）
７０Ａ    凸部（第２凸部）
７２      空洞
７２Ａ    空洞
８０      凸部（第３凸部）
８０Ａ    凸部（第２凸部）
８２      空洞
８２Ａ    空洞
【図１】
2020156791.tif 000004
【図２】
2020156791.tif 000005
【図３】
2020156791.tif 000006
【図４】
2020156791.tif 000007
【図５】
2020156791.tif 000008
【図６】
2020156791.tif 000009
【図７】
2020156791.tif 000010
【図８】
2020156791.tif 000011
【図９】
2020156791.tif 000012
【図１０】
2020156791.tif 000013
【図１１】
2020156791.tif 000014
【図１２】
2020156791.tif 000015
【図１３】
2020156791.tif 000016
【図１４】
2020156791.tif 000017
【図１５】
2020156791.tif 000018